(57)【要約】【課題】スクリーン面の移動に追従して映像を適切に移動後のスクリーン面内に投影する。【解決手段】プロジェクタ１０と、前記プロジェクタ１０による映像が投影されるスクリーン面を撮像して画像情報を得るカメラ部２０と、前記カメラ部２０により得られた画像情報に基づき前記スクリーン面における所定位置の文字認識を行って文字の上下左右方向を検出し、前記スクリーン面における投影する画面の向き情報を検出する向き検出手段３１１と、前記向き検出手段３１１により検出された向き情報に基づき前記プロジェクタ１０へ送出する映像の傾きを調整して映像信号を生成する映像信号生成手段３１２とを具備する。【選択図】図２
2018180410.tif 000002
【特許請求の範囲】
【請求項１】
映像を投影するプロジェクタと、
前記プロジェクタによる映像が投影されるスクリーン面を撮像して画像情報を得るカメラ部と、
前記カメラ部により得られた画像情報に基づき前記スクリーン面における所定位置の文字認識を行って文字の上下左右方向を検出し、前記スクリーン面における投影する画面の向き情報を検出する向き検出手段と、
前記向き検出手段により検出された向き情報に基づき前記プロジェクタへ送出する映像の傾きを調整して映像信号を生成する映像信号生成手段と
を具備することを特徴とするプロジェクタシステム。
【請求項２】
前記カメラ部により得られた画像情報に基づき前記スクリーン面における所定位置の文字認識を行って文字の位置及び配置を得ると共に前記スクリーン面における投影する画面の範囲を検出する範囲検出手段を具備し、
前記映像信号生成手段は、前記範囲検出手段により検出された画面の範囲情報に基づき前記プロジェクタへ送出する映像の画面範囲を調整して映像信号を生成する
ことを特徴とする請求項１に記載のプロジェクタシステム。
【請求項３】
前記範囲検出手段は、所定の位置関係にある２文字間を対角線とした矩形を求め、この矩形の範囲を、前記スクリーン面における投影する画面の範囲として検出することを特徴とする請求項２に記載のプロジェクタシステム。
【請求項４】
前記プロジェクタから投影する映像のコンテンツが文字に対応して記憶されたコンテンツ記憶部と、
前記カメラ部により得られた画像情報に基づき前記スクリーン面における所定位置の文字認識を行う文字認識手段と、
前記文字認識結果に係る文字に対応するコンテンツを前記コンテンツ記憶部から取り出し前記映像信号生成手段によって映像信号として前記プロジェクタに送出するコンテンツ取出手段と
を具備することを特徴とする請求項１乃至３のいずれか１項に記載のプロジェクタシステム。
【請求項５】
前記スクリーン面に記載される文字をアルファベット中の、上下方向を確定可能なアルファベットとしたことを特徴とする請求項１乃至４のいずれか１項に記載のプロジェクタシステム。
【請求項６】
映像を投影するプロジェクタと、前記プロジェクタによる映像が投影されるスクリーン面を撮像して画像情報を得るカメラ部と、前記プロジェクタを制御するコンピュータを備える制御部とを含んで構成されるプロジェクタシステムの前記コンピュータを、
前記カメラ部により得られた画像情報に基づき前記スクリーン面における所定位置の文字認識を行って文字の上下左右方向を検出し、前記スクリーン面における投影する画面の向き情報を検出する向き検出手段、
前記向き検出手段により検出された向き情報に基づき前記プロジェクタへ送出する映像の傾きを調整して映像信号を生成する映像信号生成手段
として機能させることを特徴とするプロジェクタシステム用プログラム。
【請求項７】
前記コンピュータを更に、
前記カメラ部により得られた画像情報に基づき前記スクリーン面における所定位置の文字認識を行って文字の位置及び配置を得ると共に前記スクリーン面における投影する画面の範囲を検出する範囲検出手段として機能させ、
前記映像信号生成手段を、前記範囲検出手段により検出された画面の範囲情報に基づき前記プロジェクタへ送出する映像の画面範囲を調整して映像信号を生成するように、
機能させることを特徴とする請求項６に記載のプロジェクタシステム用プログラム。
【請求項８】
前記範囲検出手段は、所定の位置関係にある２文字間を対角線とした矩形を求め、この矩形の範囲を、前記スクリーン面における投影する画面の範囲として検出することを特徴とする請求項７に記載のプロジェクタシステム用プログラム。
【請求項９】
前記プロジェクタシステムは、前記プロジェクタから投影する映像のコンテンツが文字に対応して記憶されたコンテンツ記憶部を備え、
前記コンピュータを更に、
前記カメラ部により得られた画像情報に基づき前記スクリーン面における所定位置の文字認識を行う文字認識手段、
前記文字認識結果に係る文字に対応するコンテンツを前記コンテンツ記憶部から取り出し前記映像信号生成手段によって映像信号として前記プロジェクタに送出するコンテンツ取出手段
として機能させることを特徴とする請求項６乃至８のいずれか１項に記載のプロジェクタシステム用プログラム。
【請求項１０】
前記スクリーン面に記載される文字をアルファベット中の、上下方向を確定可能なアルファベットとしたことを特徴とする請求項６乃至９のいずれか１項に記載のプロジェクタシステム用プログラム。
【発明の詳細な説明】
【技術分野】
【０００１】
本発明は、スクリーンを移動させてコンテンツを投影するような使用形態のプロジェクタシステム及びプロジェクタシステム用プログラムに関するものである。
【背景技術】
【０００２】
近年、プロジェクタを用いて、デスク上に講演原稿を表示したり、料理教室の調理台にレシピを表示したりすることが行われている。図１は、料理教室の調理台１０１Ａ、１０１Ｂに対し、天井１０２に設けられたプロジェクタシステム１０３Ａ、１０３Ｂからレシピを投影するようにしたものである。
【０００３】
上記のようなスチュエーションでは、調理者が移動する場合にはこれに追従する位置にレシピが表示されると好的である。特に、調理者が調理台１０１Ａ、１０１Ｂの一辺側から対向する一辺側へ移動した場合には文字の上下が反対となり読み難くなる。また、調理台１０１Ａの調理者は日本語しか読めず、調理台１０１Ｂの調理者は英語しか読めないような場合には、言語が異なるレシピが表示されると便利である。
【０００４】
上記に対し、特許文献１には、ボード上に位置決めマークとキーワードを描画すると、これを読み取ってキーワードに対応したコンテンツを位置決めマークにより指示された位置に表示するものが開示されている。
【０００５】
また、特許文献２には、位置マーカが設けられた媒体を、写し取る内容が表示された表示部にかざすと、位置マーカの位置から媒体の位置や角度等の状態を検出して写し取る領域が決定されて、写し取りを行うことができるシステムが開示されている。
【先行技術文献】
【特許文献】
【０００６】
【特許文献１】特開２０１３−８９９８７号公報
【特許文献２】特開２００５−３１４４８号公報
【発明の概要】
【発明が解決しようとする課題】
【０００７】
上記特許文献１は、ホワイトボードを用いて授業等を行う場合が想定されており、このホワイトボード上に映像を逆さにしたり斜めにしたりして表示することは想定されていない。
【０００８】
特許文献２のシステムでは、位置マーカが設けられた媒体を傾ける等することにより、写し取る対象から傾いた位置マーカ内の画像を得ることができる。しかしながら、プロジェクタにより投影する対象であるスクリーンが傾いた場合にそのスクリーン内に適切に画像を表示するものではない。
【０００９】
本発明は上記のようなプロジェクタシステムの現状とプロジェクタシステムに対する要望に応えんとしてなされたもので、その目的は、スクリーン面の移動に追従して映像を適切に移動後のスクリーン面内に投影可能なプロジェクタシステムを提供することである。また、他の目的は、コンテンツの指定をスクリーン面内の文字により行うことが可能なプロジェクタシステムを提供することである。
【課題を解決するための手段】
【００１０】
本発明に係るプロジェクタシステムは、映像を投影するプロジェクタと、前記プロジェクタによる映像が投影されるスクリーン面を撮像して画像情報を得るカメラ部と、前記カメラ部により得られた画像情報に基づき前記スクリーン面における所定位置の文字認識を行って文字の上下左右方向を検出し、前記スクリーン面における投影する画面の向き情報を検出する向き検出手段と、前記向き検出手段により検出された向き情報に基づき前記プロジェクタへ送出する映像の傾きを調整して映像信号を生成する映像信号生成手段とを具備することを特徴とする。
【００１１】
本発明に係るプロジェクタシステムでは、前記カメラ部により得られた画像情報に基づき前記スクリーン面における所定位置の文字認識を行って文字の位置及び配置を得ると共に前記スクリーン面における投影する画面の範囲を検出する範囲検出手段を具備し、前記映像信号生成手段は、前記範囲検出手段により検出された画面の範囲情報に基づき前記プロジェクタへ送出する映像の画面範囲を調整して映像信号を生成することを特徴とする。
【００１２】
本発明に係るプロジェクタシステムでは、前記範囲検出手段は、所定の位置関係にある２文字間を対角線とした矩形を求め、この矩形の範囲を、前記スクリーン面における投影する画面の範囲として検出することを特徴とする。
【００１３】
本発明に係るプロジェクタシステムでは、前記プロジェクタから投影する映像のコンテンツが文字に対応して記憶されたコンテンツ記憶部と、前記カメラ部により得られた画像情報に基づき前記スクリーン面における所定位置の文字認識を行う文字認識手段と、前記文字認識結果に係る文字に対応するコンテンツを前記コンテンツ記憶部から取り出し前記映像信号生成手段によって映像信号として前記プロジェクタに送出するコンテンツ取出手段とを具備することを特徴とする。
【００１４】
本発明に係るプロジェクタシステムでは、前記スクリーン面に記載される文字をアルファベット中の、上下方向を確定可能なアルファベットとしたことを特徴とする。
【００１５】
本発明に係るプロジェクタシステム用プログラムは、映像を投影するプロジェクタと、前記プロジェクタによる映像が投影されるスクリーン面を撮像して画像情報を得るカメラ部と、前記プロジェクタを制御するコンピュータを備える制御部とを含んで構成されるプロジェクタシステムの前記コンピュータを、前記カメラ部により得られた画像情報に基づき前記スクリーン面における所定位置の文字認識を行って文字の上下左右方向を検出し、前記スクリーン面における投影する画面の向き情報を検出する向き検出手段、前記向き検出手段により検出された向き情報に基づき前記プロジェクタへ送出する映像の傾きを調整して映像信号を生成する映像信号生成手段として機能させることを特徴とする。
【００１６】
本発明に係るプロジェクタシステム用プログラムでは、前記コンピュータを更に、前記カメラ部により得られた画像情報に基づき前記スクリーン面における所定位置の文字認識を行って文字の位置及び配置を得ると共に前記スクリーン面における投影する画面の範囲を検出する範囲検出手段として機能させ、前記映像信号生成手段を、前記範囲検出手段により検出された画面の範囲情報に基づき前記プロジェクタへ送出する映像の画面範囲を調整して映像信号を生成するように、機能させることを特徴とする。
【００１７】
本発明に係るプロジェクタシステム用プログラムでは、前記範囲検出手段は、所定の位置関係にある２文字間を対角線とした矩形を求め、この矩形の範囲を、前記スクリーン面における投影する画面の範囲として検出することを特徴とする。
【００１８】
本発明に係るプロジェクタシステム用プログラムでは、前記プロジェクタシステムは、前記プロジェクタから投影する映像のコンテンツが文字に対応して記憶されたコンテンツ記憶部を備え、前記コンピュータを更に、前記カメラ部により得られた画像情報に基づき前記スクリーン面における所定位置の文字認識を行う文字認識手段、前記文字認識結果に係る文字に対応するコンテンツを前記コンテンツ記憶部から取り出し前記映像信号生成手段によって映像信号として前記プロジェクタに送出するコンテンツ取出手段として機能させることを特徴とする。
【００１９】
本発明に係るプロジェクタシステム用プログラムでは、前記スクリーン面に記載される文字をアルファベット中の、上下方向を確定可能なアルファベットとしたことを特徴とする。
【発明の効果】
【００２０】
本発明によれば、プロジェクタによる映像が投影されるスクリーン面を撮像して得られた画像情報に基づき前記スクリーン面における所定位置の文字認識を行って文字の上下左右方向を検出し、前記スクリーン面における投影する画面の向き情報を検出し、検出された向き情報に基づき前記プロジェクタへ送出する映像の傾きを調整して映像信号を生成するので、スクリーン面の移動に追従して映像を適切に移動後のスクリーン面内に投影可能となる。
【００２１】
また、本発明によれば、カメラ部により得られた画像情報に基づき前記スクリーン面における所定位置の文字認識を行い、文字認識結果に係る文字に対応するコンテンツをコンテンツ記憶部から取り出し前記映像信号生成手段によって映像信号として前記プロジェクタに送出するので、コンテンツの指定をスクリーン面内の文字により行うことが可能である。
【図面の簡単な説明】
【００２２】
【図１】本発明に係るプロジェクタシステムの実施形態を用いた調理場の例を示す斜視図。
【図２】本発明に係るプロジェクタシステムの第１の実施形態のブロック図。
【図３】本発明に係るプロジェクタシステムの実施形態において用いるスクリーンの一例を示す平面図。
【図４】本発明に係るプロジェクタシステムの第１の実施形態の動作を説明するためのフローチャート。
【図５】本発明に係るプロジェクタシステムの第１の実施形態による動作を説明するためのスクリーンの姿勢と投影された映像を示す平面図。
【図６】本発明に係るプロジェクタシステムの第１の実施形態による画面範囲調整動作を説明するための平面図。
【図７】本発明に係るプロジェクタシステムの第２の実施形態のブロック図。
【図８】本発明に係るプロジェクタシステムの第２の実施形態の動作を説明するためのフローチャート。
【図９】本発明に係るプロジェクタシステムの第２の実施形態による動作を説明するためのスクリーンと投影されたコンテンツ映像を示す平面図。
【図１０】本発明に係るプロジェクタシステムの第２の実施形態による動作を説明するためのスクリーンと投影されたコンテンツ映像を示す平面図。
【発明を実施するための形態】
【００２３】
以下添付図面を参照して、本発明に係るプロジェクタシステム及びそのプログラムの実施形態を説明する。各図において同一の構成要素には、同一の符号を付し、重複する説明を省略する。図１に示すように、本実施形態に係るプロジェクタシステム１０３Ａ、１０３Ｂは、天井１０２に設けられている。図１は一例に過ぎず、プロジェクタシステム１０３Ａ、１０３Ｂの設置場所や台数は、これに限定されない。プロジェクタシステム１０３Ａ、１０３Ｂの構成は同一であり、図２に示されるようである。
【００２４】
プロジェクタシステムは、映像をスクリーンの姿勢に合わせて投影するものである。プロジェクタ１０には、映像受信部１１が備えられており、制御部３０から送られる映像信号を受信する。
【００２５】
プロジェクタ１０には、映像出力部１２、コントロール部１３が設けられている。コントロール部１３は、映像受信部１１が受信した映像信号を受け取り、映像出力部１２へ送出する。映像出力部１２は、映像情報に係る信号を受けて映像化して図１のスクリーン１０４Ａ、１０４Ｂへ出力する。
【００２６】
スクリーン１０４Ａ、１０４Ｂは、紙、アクリル板、布等で構成され、映像が投影できるものであれば材料や厚みや大きさ等に制限はない。また、平面形状は図３に示すように矩形とすることができる。勿論、スクリーン１０４Ａ、１０４Ｂの平面形状はどのような形状であっても良い。スクリーン１０４Ａ、１０４Ｂには、映像の投影範囲９を示す文字が記載（印刷等）される。映像の投影範囲９が通常は矩形であるため、矩形の四隅の位置に合計で４文字が記載される。所定の位置関係（例えば、矩形の対角線の始点と終点の関係）にある２文字間を対角線とした矩形を投影範囲とすると、２文字でも良いのであるが、手などによって隠れた場合を考慮して４文字とすることができる。
【００２７】
また、投影範囲９の境界線に沿って上記４文字の位置以外の位置に文字を記載しても良いが、映像が投影された場合に目視の邪魔になることも予想されるので、４文字とすることができる。また、文字は基本的に上下方向を確定可能な文字であれば特に制限はないのであるが、文字認識の精度や効率がより良い方が好適であるという観点からアルファベット中の、上下方向を確定可能なアルファベットとすることができる。「Ｈ」、「Ｉ」、「Ｍ」、「Ｎ」、「Ｏ」、「Ｓ」、「Ｗ」、「Ｘ」、「Ｚ」の９文字は、上下方向を確定できないアルファベットであるため、用いない。
【００２８】
カメラ部２０は、上記プロジェクタ１０による映像が投影されるスクリーン面を撮像して画像情報を得るものである。制御部３０は、カメラ部２０により得られた画像情報に基づき、プロジェクタ１０へ送出する前に映像情報を調整して送出する。
【００２９】
制御部３０には、ＣＰＵにより構成される演算処理部３１と、複数のコンテンツの映像情報が記憶されたコンテンツ記憶部３２と、コマンドやデータを入力するための入力部３３と、映像信号をプロジェクタ１０の映像受信部１１へ送信する映像送信部３４が備えられている。入力部３３は、キーボードやタッチパネルやマウスなどにより構成することができる。
【００３０】
演算処理部３１には、向き検出手段３１１、映像信号生成手段３１２、範囲検出手段３１３、コンテンツ取出手段３１４が備えられている。向き検出手段３１１、映像信号生成手段３１２、範囲検出手段３１３、コンテンツ取出手段３１４は、プログラムにより実現される。
【００３１】
向き検出手段３１１は、カメラ部２０により得られた画像情報に基づき上記スクリーン面における所定位置の文字認識を行って文字の上下左右方向を検出し、上記スクリーン面における投影する画面の向き情報を検出するものである。文字認識については、この部分及びこの部分以外において、公知の構成を採用することができる。映像信号生成手段３１２は、上記向き検出手段３１１により検出された向き情報に基づき上記プロジェクタ１０へ送出する映像の傾きを調整して映像信号を生成するものである。
【００３２】
範囲検出手段３１３は、上記カメラ部２０により得られた画像情報に基づき上記スクリーン面における所定位置の文字認識を行って文字の位置及び配置を得ると共に上記スクリーン面における投影する画面の範囲を検出するものである。具体的には、範囲検出手段３１３は、所定の位置関係にある２文字間を対角線とした矩形を求め、この矩形の範囲を、上記スクリーン面における投影する画面の範囲として検出する。映像信号生成手段３１２は、上記範囲検出手段３１３により検出された画面の範囲情報に基づき上記プロジェクタ１０へ送出する映像の画面範囲を調整して映像信号を生成するものである。
【００３３】
入力部３３は、コンテンツ記憶部３２内のコンテンツの読み出しを指示する入力を行うために用いられる。コンテンツ取出手段３１４は、入力部３３により読み出しを指示されたコンテンツを前記コンテンツ記憶部から取り出し映像信号生成手段３１２へ渡すものである。
【００３４】
以上のように構成された第１の実施形態に係るプロジェクタシステムでは、図４に示すフローチャートに対応するプログラムにより動作を行うので、これを説明する。電源投入により、スタートとなり、入力部３３により読み出しを指示されたコンテンツを前記コンテンツ記憶部３２から取り出し映像信号生成手段３１２へ送出し（Ｓ１１）、映像信号生成手段３１２による映像の向きや範囲の調整処理へ移行する。
【００３５】
即ち、カメラ部２０により、上記プロジェクタ１０による映像が投影されるスクリーン面を撮像して画像情報を得る（Ｓ１２）。次に、得られた画像情報に基づき文字認識を行って文字の上下左右方向を検出し、上記スクリーン面における投影する画面の向き情報を検出する（Ｓ１３）。次に、上記において取り出されているコンテンツの映像に対して画面の向き情報に基づいて画面の向きを制御して、スクリーン面の傾きに合致した映像を生成する（Ｓ１４）。
【００３６】
例えば、図５（ａ）に示すようにスクリーン１０４Ａ、１０４Ｂに記載された文字姿勢の上下左右が正常な方向であれば、コンテンツであるイチゴの絵５０が正常な方向（ヘタが上側である場合を正常とする）を向くように映像情報が調整される。また、図５（ｂ）に示すようにスクリーン１０４Ａ、１０４Ｂに記載された文字姿勢の上下が逆さ方向であれば、コンテンツであるイチゴの絵５０が逆さ方向を向くように映像情報の調整がなされる。更に、図５（ｃ）に示すようにスクリーン１０４Ａ、１０４Ｂに記載された文字姿勢が右上がりに傾斜していれば、コンテンツであるイチゴの絵５０も右上がりに傾斜するように映像情報が調整される。
【００３７】
更に、ステップＳ１２において得られた画像情報に基づき文字認識を行って文字の位置及び配置を得ると共に上記スクリーン面における投影する画面の範囲を検出する（Ｓ１５）。ここでは、所定の位置関係（例えば、矩形の対角線の始点と終点の関係）にある２文字間を対角線とした矩形を投影範囲とする。得られた画面の範囲情報に基づき上記において向き調整したコンテンツの映像に対して画面の範囲を調整する（Ｓ１６）。
【００３８】
本実施形態によれば、図６に示すようにコンテンツの映像を初期値で投影した画面の範囲が例えば枠２００である場合に、スクリーン１０４Ａ、１０４Ｂの投影範囲が枠２１０により規定されると、コンテンツであるイチゴの絵の映像の範囲を初期状態の枠２００の範囲から枠２１０の範囲まで縮小する。図５（ｂ）に示したようにスクリーン１０４Ａ、１０４Ｂに記載された文字姿勢の上下が逆さ方向であれる場合にも、ステップＳ１６においては向きの調整は既に行われているので、画像の範囲の調整が上記と同様に行われる。更に、図５（ｃ）に示すようにスクリーン１０４Ａ、１０４Ｂに記載された文字姿勢が右上がりに傾斜している場合にも、ステップＳ１６においては向きの調整は既に行われているので、画像の範囲の調整が上記と同様に行われる。
【００３９】
上記のようにして、映像信号生成手段３１２による映像の向きや範囲の調整処理が行われた映像は映像信号とされて映像送信部３４からプロジェクタ１０へ送られ、スクリーン１０４Ａ、１０４Ｂへ投影される（Ｓ１７）。以降、このプログラムにより処理が繰り返される。なお、向きの調整と画像範囲の調整の順はこの実施形態と逆であっても良い。
【００４０】
図７に、第２の実施形態に係るプロジェクタシステムの構成を示す。本実施形態では、演算処理部３１Ａに、文字認識手段３１５が備えられると共に、コンテンツ取出手段３１４Ａが新たな機能を有している。即ち、文字認識手段３１５は、上記カメラ部２０により得られた画像情報に基づき上記スクリーン面における所定位置の文字認識を行う。
【００４１】
コンテンツ記憶部３２には、アルファベットの１文字に対応して１コンテンツが割り当てられ、アルファベットの１文字によって対応するコンテンツを読み出し可能に、複数のコンテンツが記憶されている。コンテンツ取出手段３１４Ａは、上記文字認識結果に係る文字に対応するコンテンツを上記コンテンツ記憶部３２から取り出し前記映像信号生成手段３１２によって映像信号として上記プロジェクタ１０に送出するものである。
【００４２】
上記の構成以外は、本実施形態の構成は第１の実施形態の構成と同じである。以上のように構成された第２の実施形態に係るプロジェクタシステムでは、図８に示すフローチャートに対応するプログラムにより動作を行うので、これを説明する。ステップＳ１２〜Ｓ１５の動作は、第１の実施形態の構成と同じである。本実施形態では、まず、カメラ部２０により、上記プロジェクタ１０による映像が投影されるスクリーン面を撮像して画像情報を得る（Ｓ１２）。ステップＳ１２に続いて、カメラ部２０により得られた画像情報に基づき上記スクリーン面における所定位置の文字認識を行う（Ｓ２１）。文字認識を行った結果の文字情報に基づき、対応コンテンツをコンテンツ記憶部３２から読み出して映像信号生成手段３１２へ送出し（Ｓ２２）、映像信号生成手段３１２による映像の向きや範囲の調整処理等へ（Ｓ１３〜Ｓ１７）移行する。ステップＳ１２〜Ｓ１７の動作は、既に第１の実施形態の説明において詳述したため、ここではその説明を省略する。ステップＳ１７の処理以降には、このプログラムによる処理が繰り返される。
【００４３】
上記のような第２の実施形態に係るプロジェクタシステムによれば、次のようなことが可能である。コンテンツ記憶部３２に、例えば、文字Ａに対応付けられて「イチゴのコンテンツ」が記憶され、文字Ｂに対応付けられて「メロンのコンテンツ」が記憶されているものとする。
【００４４】
そこで、図９（ａ）に示すように、四隅に文字Ａが記載されたスクリーン２０１が用いられると、四隅の文字Ａがカメラ部２０により読み取られてイメージデータとなされて文字認識が行われる。そこで、文字Ａであると文字認識され、文字Ａに対応付けられている「イチゴのコンテンツ」がコンテンツ記憶部３２から読み出され、図９（ａ）に示すように、スクリーン２０１投影範囲に「イチゴのコンテンツ」の映像が投影される。
【００４５】
また、図９（ｂ）に示すように、四隅に文字Ｂが記載されたスクリーン２０２が用いられると、四隅の文字Ｂがカメラ部２０により読み取られてイメージデータとなされて文字認識が行われる。そこで、文字Ｂであると文字認識され、文字Ｂに対応付けられている「メロンのコンテンツ」がコンテンツ記憶部３２から読み出され、図９（ｂ）に示すように、スクリーン２０１投影範囲に「メロンのコンテンツ」の映像が投影される。
【００４６】
別の例としては、コンテンツ記憶部３２に、例えば、文字Ｊに対応付けられて「日本語によるコンテンツ」が記憶され、文字Ｅに対応付けられて「英語によるコンテンツ」が記憶されているものとする。
【００４７】
そこで、図１０（ａ）に示すように、四隅に文字Ｊが記載されたスクリーン２０３が用いられると、四隅の文字Ｊがカメラ部２０により読み取られてイメージデータとなされて文字認識が行われる。そこで、文字Ｊであると文字認識され、文字Ｊに対応付けられている「日本（日本語によるコンテンツ）」がコンテンツ記憶部３２から読み出され、図１０（ａ）に示すように、スクリーン２０１の投影範囲に「日本（日本語によるコンテンツ）」の映像が投影される。
【００４８】
また、図１０（ｂ）に示すように、四隅に文字Ｅが記載されたスクリーン２０４が用いられると、四隅の文字Ｅがカメラ部２０により読み取られてイメージデータとなされて文字認識が行われる。そこで、文字Ｅであると文字認識され、文字Ｅに対応付けられている「Ｊａｐａｎ（英語によるコンテンツ）」がコンテンツ記憶部３２から読み出され、図１０（ｂ）に示すように、スクリーン２０１投影範囲に「Ｊａｐａｎ（英語によるコンテンツ）」の映像が投影される。
【００４９】
上記の例は図１において、調理台１０１Ａの調理者は日本語しか読めず、調理台１０１Ｂの調理者は英語しか読めないような場合に、言語が異なるレシピを調理台毎に表示できるので便利である。
【００５０】
なお上記の実施形態では、スクリーン面における所定位置の文字認識を行う場合の所定位置は、４隅としたが、投影する映像の枠形状やスクリーン面の形状により適宜変更され得る。例えば、４隅に加えて、２つの文字の中間の位置に文字を記載し、これについても認識を行うようにしても良い。また、スクリーンを楕円形として、円弧上のいくつかの位置に文字を記載し、これについて認識を行うようにしても良い。
【符号の説明】
【００５１】
１０  プロジェクタ
１１  映像受信部
１２  映像出力部
１３  コントロール部
２０  カメラ部
３０  制御部
３１  演算処理部
３１Ａ  演算処理部
３２  コンテンツ記憶部
３３  入力部
３４  映像送信部
１０１Ａ、１０１Ｂ  調理台
１０２  天井
１０３Ａ、１０３Ｂ  プロジェクタシステム
１０４Ａ、１０３Ｂ、２０１〜２０４  スクリーン
３１１  向き検出手段
３１２  映像信号生成手段
３１３  範囲検出手段
３１４、３１４Ａ  コンテンツ取出手段
３１５  文字認識手段
【図１】
2018180410.tif 000003
【図２】
2018180410.tif 000004
【図３】
2018180410.tif 000005
【図４】
2018180410.tif 000006
【図５】
2018180410.tif 000007
【図６】
2018180410.tif 000008
【図７】
2018180410.tif 000009
【図８】
2018180410.tif 000010
【図９】
2018180410.tif 000011
【図１０】
2018180410.tif 000012